(57)【要約】【課題】１回の引出し動作で取り出せる物品を最も手前に位置する１個の物品に制限できる引出し式物品収納庫を提供する。【解決手段】本体ケース２内に収納されるドロワー１と、ドロワー１内を前後方向に区画して物品７を１個ずつ収納する空間を形成する複数の仕切板６と、ドロワー１に設けられ仕切板６を所定の前後方向の位置に保持する仕切板保持部と、本体ケース２の開口部の近傍に設けられドロワー１を引き出した時に仕切板保持部に保持された仕切板６のうちで最も手前の仕切板６と当接することによりドロワー１の引き出し量を制限するストッパー２１とを備えた。【選択図】図１
2013184025.tif 000002
【特許請求の範囲】
【請求項１】
前面に開口部を有する本体ケースと、前記本体ケース内に収納され前記開口部を通じて前記本体ケースから引き出されるドロワーと、前記ドロワー内を前後方向に区画して物品を１個ずつ収納する空間を形成する複数の仕切板と、前記ドロワーに設けられ前記仕切板を所定の前後方向の位置に保持する仕切板保持部と、前記本体ケースの前記開口部の近傍に設けられ前記ドロワーを引き出した時に前記仕切板保持部に保持された前記仕切板のうちで最も手前の前記仕切板と当接することにより前記ドロワーの引き出し量を制限するストッパーとを備えた引出し式の物品収納庫。
【請求項２】
前記本体ケースに設けられ前記ドロワーが後方に移動する時に前記仕切板保持部に保持された状態にある前記仕切板を前記仕切板保持部に保持されない位置に移動させるサブストッパーと、前記サブストッパーにより前記仕切板保持部に保持されない位置に移動している前記仕切板を前後方向に移動しないように一時的に前記本体ケース内に保持するロック手段とを備えると共に、前記ストッパーの後方に隣接していた前記仕切板が、前記ドロワー内の手前の物品を取り出して前記ドロワーを前記本体ケース内に押し戻した時に、前記ストッパーの前方に移動して前記ドロワーの前部に設けられた空間に格納されるように構成した請求項１に記載の引出し式の物品収納庫。
【請求項３】
前記ロック手段により一時的に前記本体ケース内に保持された前記仕切板と後方に移動する前記ドロワーの仕切板保持部とが干渉しないように前記仕切板に切欠きを形成した請求項２に記載の引出し式の物品収納庫。
【請求項４】
前記サブストッパーは、前記ドロワーと共に前方に移動する前記仕切板と当接した時に、前記仕切板保持部に保持された状態にある前記仕切板を前記仕切板保持部に保持されない位置に移動させる機能が働かないように変位する請求項２または３に記載の引出し式の物品収納庫。
【請求項５】
前記物品の代金を支払った場合に前記ドロワーの引き出しが可能になるように構成した請求項１から４のいずれか一項に記載の引出し式の物品収納庫。
【発明の詳細な説明】
【技術分野】
【０００１】
本発明は、内部に仕切板を有する引出し式の物品収納庫に関するものである。
【背景技術】
【０００２】
近年、引出し式の物品収納庫は、業務用途／個人用途を問わず、多様な形状の物品を、収容効率を維持しながら見栄えよく収納し、中身の種類や在庫数を容易に確認でき、さらに容易に取出せる機能的なものが求められている。
【０００３】
また、引出し式の物品収納庫において、物品を効率よく収納するために仕切板が複数設けられて区画されたスペースに物品を収納する物品収納庫が一般的に知られている。
【０００４】
また、引出し式の物品収納庫の応用例として、１段の引出し立体型の仕切り手段によって複数に区画し、さらに業務用途で収納する物品の在庫を管理するために区画毎に物品の検知手段を設けた仕様のタイプが提案されている（例えば、特許文献１参照）。
【０００５】
以下、図面を参照しながら、上記特許文献１に開示された従来の引出し式の物品収納庫について説明する。
【０００６】
図８（ａ）〜（ｄ）は、従来の引出し式の物品収納庫を示すもので、（ａ）は物品収納庫本体の外観斜視図、（ｂ）は物品収納庫の棚の平面図、（ｃ）は棚の側面図、（ｄ）は物品収納庫の区画室の外観斜視図である。
【０００７】
図８（ａ）に示すように、従来の引出し式の物品収納庫３０の筐体３１には、引出し可能な棚３２が数段設けられている。
【０００８】
図８（ｂ）〜（ｄ）に示すように、棚３２の棚本体部３３は、引出し部材３４、把手３５が設けられる。棚本体部３３の内部は端面部材３６ｂを有する区画室３６において仕切られている。区画室３６には検出部材装着孔３６ａが設けられており、検出部材装着孔３６ａには検出部材３７が装着されている。区画室３６のうち、前後で隣り合うもの同士については前側の区画室３６の後端の高さより後側の区画室３６の前端の高さの方が低く構成されている。
【０００９】
上記構成により、棚３２の棚本体部３３内の一面に区画室３６を整列させて収納できるため、物品を整理して収納でき、容易に取出せる他、内部に納めた物品が個々に検知可能なため、取出された物品が把握・管理することができる。
【先行技術文献】
【特許文献】
【００１０】
【特許文献１】特許第４６６７３４３号公報
【発明の概要】
【発明が解決しようとする課題】
【００１１】
しかしながら、上記従来の引出し式の物品収納庫では、棚３２の１回の引出し動作で棚３２内の複数の物品を取り出すことが可能であるため、棚３２の１回の引出し動作で取り出せる物品を１個に制限したい用途では、悪意を持った利用者により、複数の物品を１回の引出し動作で取り出されてしまう可能性があるという課題や、利用者が棚３２の奥に収容された物品を選んで取り出すことが可能なため、賞味期限管理のための先入れ先出しの
実現が困難であるという課題があった。
【００１２】
本発明は上記従来の課題を解決するものであり、１回の引出し動作で取り出せる物品を最も手前に位置する１個の物品に制限できる引出し式の物品収納庫を提供することを目的とする。
【課題を解決するための手段】
【００１３】
上記目的を達成するために、本発明の引出し式の物品収納庫は、前面に開口部を有する本体ケースと、前記本体ケース内に収納され前記開口部を通じて前記本体ケースから引き出されるドロワーと、前記ドロワー内を前後方向に区画して物品を１個ずつ収納する空間を形成する複数の仕切板と、前記ドロワーに設けられ前記仕切板を所定の前後方向の位置に保持する仕切板保持部と、前記本体ケースの前記開口部の近傍に設けられ前記ドロワーを引き出した時に前記仕切板保持部に保持された前記仕切板のうちで最も手前の前記仕切板と当接することにより前記ドロワーの引き出し量を制限するストッパーとを備えたのである。
【００１４】
これにより、１回の引出し動作で取り出せる物品を最も手前に位置する１個の物品に制限できる。
【発明の効果】
【００１５】
本発明の物品収納庫は、簡素な構成で高価な機能部品を必要とせず、収納する物品の前後方向の寸法に合わせて物品収納空間の前後方向の寸法を可変させることができ、さらに引出し式の物品収納部の開閉動作１回につき最も手前に位置する１個の物品だけを取出すことができるため、防犯性を高めることができると共に、賞味期限管理のための先入れ先出しを実現することができる。
【図面の簡単な説明】
【００１６】
【図１】本発明の実施の形態１における引出し式の物品収納庫の外観斜視図
【図２】本発明の実施の形態１における引出し式の物品収納庫に用いたドロワーの外観斜視図
【図３】本発明の実施の形態１における引出し式の物品収納庫に用いた本体ケースの外観斜視図
【図４】（ａ）本発明の実施の形態１における引出し式の物品収納庫の待機状態を示す側面断面図（ｂ）同実施の形態の引出し式の物品収納庫の施錠解除状態を示す側面断面図
【図５】（ａ）本発明の実施の形態１における引出し式の物品収納庫の引出し動作時の状態を示す側面断面図（ｂ）同実施の形態の引出し式の物品収納庫の引出し完了時の状態を示す側面断面図
【図６】（ａ）本発明の実施の形態１における引出し式の物品収納庫の収納動作時の状態を示す側面断面図（ｂ）同実施の形態の引出し式の物品収納庫の収納直前の状態を示す側面断面図
【図７】本発明の実施の形態２における引出し式の物品収納庫の外観斜視図
【図８】（ａ）従来の引出し式の物品収納庫本体の外観斜視図（ｂ）従来の引出し式の物品収納庫の棚の平面図（ｃ）従来の引出し式の物品収納庫の棚の側面図（ｄ）従来の引出し式の物品収納庫の区画室の外観斜視図
【発明を実施するための形態】
【００１７】
第１の発明は、前面に開口部を有する本体ケースと、前記本体ケース内に収納され前記開口部を通じて前記本体ケースから引き出されるドロワーと、前記ドロワー内を前後方向に区画して物品を１個ずつ収納する空間を形成する複数の仕切板と、前記ドロワーに設け
られ前記仕切板を所定の前後方向の位置に保持する仕切板保持部と、前記本体ケースの前記開口部の近傍に設けられ前記ドロワーを引き出した時に前記仕切板保持部に保持された前記仕切板のうちで最も手前の前記仕切板と当接することにより前記ドロワーの引き出し量を制限するストッパーとを備えた引出し式の物品収納庫である。
【００１８】
上記構成により、ドロワーの引き出し量は、ドロワーの仕切板保持部に保持された仕切板のうちで最も手前の仕切板が本体ケースの開口部の近傍に設けられたストッパーに当接するまでに制限される。
【００１９】
そのため、簡素な構成で高価な機能部品を必要とせず、最も手前の物品の取出し性を犠牲にすることなく、２個目以降の物品を隠すことができ、ドロワーの開閉動作１回につき最も手前に位置する１個の物品だけを取出すことができるため、防犯性を高めることができると共に、賞味期限管理のための先入れ先出しを実現することができる。
【００２０】
また、仕切板保持部に前後方向の仕切板を保持可能な位置を複数設けて、収納する物品の前後方向の寸法に合わせて仕切板の位置を調節して、収納する物品の前後方向の寸法に合わせて物品収納空間の前後方向の寸法を可変させることができる。
【００２１】
第２の発明は、特に、第１の発明において、前記本体ケースに設けられ前記ドロワーが後方に移動する時に前記仕切板保持部に保持された状態にある前記仕切板を前記仕切板保持部に保持されない位置に移動させるサブストッパーと、前記サブストッパーにより前記仕切板保持部に保持されない位置に移動している前記仕切板を前後方向に移動しないように一時的に前記本体ケース内に保持するロック手段とを備えると共に、前記ストッパーの後方に隣接していた前記仕切板が、前記ドロワー内の手前の物品を取り出して前記ドロワーを前記本体ケース内に押し戻した時に、前記ストッパーの前方に移動して前記ドロワーの前部に設けられた空間に格納されるように構成したものである。
【００２２】
上記構成により、ドロワーを本体ケース内に押し戻す動作で、ドロワー内の仕切板を前方にずらしてドロワー内の物品を前方に移動させることができ、ドロワーを引き出した時にストッパーの後方に隣接していた仕切板は、ドロワー内の手前の物品を取り出してドロワーを本体ケース内に押し戻した時に、ストッパーの前方に移動してドロワーの前部に設けられた空間に格納されるので、２個目以降の物品も最前列の物品を取り出した時と同様に１回の開閉動作により１個ずつ物品を取出すことが可能となる。
【００２３】
第３の発明は、特に、第２の発明において、前記ロック手段により一時的に前記本体ケース内に保持された前記仕切板と後方に移動する前記ドロワーの仕切板保持部とが干渉しないように前記仕切板に切欠きを形成したものである。
【００２４】
上記構成により、ドロワーを本体ケース内に押し戻す時に、仕切板保持部が仕切板の切欠き部分を通り抜け、互いに干渉することなくスライドして待機状態に戻ることができ、スムースな引出し動作が可能となる。
【００２５】
第４の発明は、特に、第２または第３の発明において、前記サブストッパーは、前記ドロワーと共に前方に移動する前記仕切板と当接した時に、前記仕切板保持部に保持された状態にある前記仕切板を前記仕切板保持部に保持されない位置に移動させる機能が働かないように変位するものである。
【００２６】
上記構成により、仕切板保持部に保持された状態にある仕切板を仕切板保持部に保持されない位置に移動させるというサブストッパーの機能を、ドロワーを本体ケース内に押し戻す時のみに発揮させ、ドロワーを本体ケース内から引き出す時には発揮させないように
でき、ドロワーを本体ケース内から引き出す場合の操作力を軽くすることが可能になる。
【００２７】
第５の発明は、特に、第１から第４のいずれかの発明において、前記物品の代金を支払った場合に前記ドロワーの引き出しが可能になるように構成したものである。
【００２８】
上記構成により、第１から第４のいずれかの発明の引出し式の物品収納庫を活用して物品を１個ずつ販売することができる。
【００２９】
以下、本発明の引出し式の物品収納庫の実施の形態について説明する。なお、この実施の形態によって本発明が限定されるものではない。
【００３０】
（実施の形態１）
以下、本発明の引出し式の物品収納庫の実施の形態１について、図面を参照しながら説明する。図１は本発明の実施の形態１における引出し式の物品収納庫の外観斜視図である。
【００３１】
図１に示すように、ドロワー１は、通常、前面に開口部を有する本体ケース２に収納されている。
【００３２】
図では省略しているが、ドロワー１が滑らかに本体ケース２から引出せるように、本体ケース２内の側面または底面にドロワー１をスライド可能に支持する前後方向のスライドレール等を設ける構成が望ましい。また、本体ケース２内の奥には、ドロワー１を本体ケース２から引出せないように施錠するためのロック機構３が取付けられている。
【００３３】
図２は本実施の形態で用いたドロワー１の外観斜視図である。図２に示すように、ドロワー１の左右両側には、前後方向に所定間隔で上に台形状に突出した複数の上ガイド４および下ガイド５が設けられている。
【００３４】
仕切板６は、前後に隣接する上ガイド４の間および前後に隣接する下ガイド５の間に挿入されており、ドロワー１内を前後に区画して空間を形成しており、その区画された空間に物品７が収納される。仕切板６には、左右両側に上切欠き８および下切欠き９が左右対称に設けられている。
【００３５】
また、ドロワー１の前面下部には、左右方向を回動軸とするスプリング蝶番１０によって前方に回動自在に形成された取出扉１１が構成されており、物品取出し時に開口部が手前に開いて取出し性がよくなるよう配慮されている。また取出扉１１の上部には操作性向上のために把手１２を設けている。
【００３６】
また、詳細は後述に行うが、取出扉１１の背面側の左右の両側面の外側には仕切板６をロックするためのピンを案内するピンガイド１３、取出扉１１の背面側の左右の両側面の内側には最前列の仕切板６を案内するための仕切板ガイド１４が設けられている。また、ドロワー１背面にはドロワー１を施錠するためのフックガイド１５が設けられている。
【００３７】
図３は本実施の形態で用いた本体ケース２の外観斜視図である。図３に示すように、本体ケース２の内部左右両側面の上下に仕切板６を一時的に保持するための前後方向に所定間隔で下に台形状に突出した複数の上ガイド１６、下ガイド１７が設けられている。
【００３８】
本体ケース２の底面側にドロワーが滑るための前後方向のドロワーガイド１８が構成されている。ドロワーガイド１８の左右方向の外側には仕切板６を一時的に保持するためのサブストッパー１９が設けられている。
【００３９】
サブストッパー１９はシーソー構造で左右方向を軸とする軸心を中心に前後方向に可倒する仕様となっている。サブストッパー１９の上面は軸心の前側に最もに高い頂点を有し、その頂点から前後方向に離れるほど低くなるように傾斜している。サブストッパー１９の底面は、本体ケース２内の底面に略接触可能に軸心の後方側に延びている。
【００４０】
そのため、サブストッパー１９は、サブストッパー１９の底面が本体ケース２内の底面に略接触した状態から、外力でサブストッパー１９の底面が本体ケース２内の底面から離れるように前方向のみに倒すことができるが、重心が軸心の後方にあるので、外力がなくなると、自重で元の状態に戻るようになっている。
【００４１】
また、本体ケース２の内部の左右両側面の前端に左右方向の内側に突出するロックピン２０を上下２箇所に設けたストッパー２１がスライドホルダー２２にガイドされて上下にスライドする構成となっている。
【００４２】
さらに、ストッパー２１にはスライドホルダー２２から脱落を防止するためのピン２３が設けられている。
【００４３】
仕切板６をロックする手段として本仕様を説明したが、仕切板６をロックする手段が本仕様に限定されるものではない。また、本体ケース２後端にはドロワー１を施錠するためのロック機構３を内蔵するロック機構内蔵ボックス２４が設けられている。
【００４４】
ロック機構内蔵ボックス２４内には、ドロワー１を施錠するためにフックガイド１５を引掛けるためのフック２５およびフック２５を動作させるためのソレノイド２６およびフック２５にソレノイド２６の動力を伝達するためのスライドバー２７およびフック２５を待機状態に戻すためのスプリング２８が内蔵されている。
【００４５】
本実施の形態では、ソレノイド２６を用いた駆動装置を一例として挙げたが、モーター等を用いても構わず、ドロワー１を施錠する手段が本仕様に限定されるものではない。
【００４６】
以上のように構成された本実施の形態の引出し式の物品収納庫の動作について、図４から図６の側面断面図を参照しながら動作について説明をする。
【００４７】
図４（ａ）は待機状態を示し、図４（ｂ）は施錠解除状態を示している。施錠解除のための通電によりソレノイド２６がスライドバー２７を引上げて連動するフック２５の先端を持ち上げてフックガイド１５に引掛けることにより施錠解除となる。
【００４８】
なお、ソレノイド２６は瞬間的に通電されるものであり、通電が止まるとソレノイド２６およびスライドバー２７は自重により待機位置に戻るため、安全な構成となっている。この動作によりドロワー１は引出し可能な状態となる。
【００４９】
図５（ａ）は引出し動作時の状態を示している。把手１２を持ってドロワー１を引出すとフックガイド１５からフック２５が外れる。また、ドロワーガイド１８上に載っていたストッパー２１のロックピン２０が外れてストッパー２１が下がる。
【００５０】
ドロワー１を引出すにつれて仕切板６がサブストッパー１９の頂部に当たるが、サブストッパー１９は軸心を中心に前方に傾くため、仕切板６はドロワー１の前後に隣接する上ガイド４の間および前後に隣接する下ガイド５の間に保持された状態を維持しながら、ドロワー１を引出すことができる。
【００５１】
図５（ｂ）は引出し完了時の状態を示している。ドロワー１を引出しの限界近くまで引出すと仕切板６がストッパー２１のロックピン２０に当たり、ドロワー１はそれ以上引出せなくなる。
【００５２】
その衝撃により取出扉１１の施錠（図示せず）がはずれ、取出扉１１は前方に９０°開放されて収納されている物品７を容易に取出すことが可能となる。なお。物品７を取出した後の取出扉１１はスプリング蝶番１０の作用で元の状態に戻る。また、サブストッパー１９は仕切板６が通過した時点で重心バランスにより元の位置に戻るが、捻りバネ等で強制的に戻すことも可能である。
【００５３】
図６（ａ）は収納動作時の状態を示している。ドロワー１を押し込み始めると仕切板６がサブストッパー１９の頂部に当たるが、ドロワー１を引出す場合と異なり、サブストッパー１９は突っ張って（サブストッパー１９の底面が本体ケース２内の底面に当接して、本体ケース２内の底面からの応力を受けて）動かなくなるため、仕切板６はサブストッパー１９の傾斜面に乗り上げる。
【００５４】
やがて仕切板６は本体ケース２側の前後に隣接する上ガイド１６の間および前後に隣接する下ガイド１７の間に挟まり前後方向に拘束され、仕切板６の底面はドロワー１の下ガイド５に載り、仕切板６の上切欠き８の上端面がドロワー１の上ガイド４に載って滑走する。
【００５５】
仕切板６が上ガイド４および下ガイド５から外れると仕切板６は降下して再びドロワー１上に戻る。この時、全部の仕切板６は元の位置ではなく、従来位置よりも１個手前の位置に移動したことになる。また、仕切板６に下切欠き９を設けたことにより、本体ケース２側の下ガイド１７に干渉することなく、ドロワー１の収納が可能となる。
【００５６】
図６（ｂ）は収納直前の状態を示している。ドロワー１収納間際の状態になると、取出扉１１の外側に設けられたピンガイド１３にロックピン２０が持ち上げられ、仕切板６をロックする位置にあったストッパー２１が上がる。
【００５７】
これにより、仕切板６のロックを解除することで、最前列の仕切板６が前傾し、取出扉１１の内側に形成された仕切板ガイド１４上を仕切板６の上切欠き８の上端面が滑走することで、仕切板６が取出扉１１内の空間１１ａに格納される。
【００５８】
図示はしないが、仕切板６が取出扉１１の開閉により脱落しないようロックする構造を設けることが望ましい。さらに、前述でスライドレール等を設けるとドロワーが滑らかに開閉できると記述したが、さらにスプリングを設けることにより、ドロワーの自動収納ができ、機能性向上を図ることができる。
【００５９】
なお、物品７をドロワー１に充填する場合は、サブストッパー１９を一括で保持する機能を追加することにより、ドロワー１全体を本体ケース２より引抜いて、物品７を充填して再び本体ケース２に戻すことを容易に行うことができる。
【００６０】
また、本体ケース２、仕切板６および取出扉１１を透明な部材で構成することにより目視で確認することができ、在庫管理や中身の掲示に便利となる。
【００６１】
また、在庫管理については、反射型や遮断タイプのセンサーを設けて位置を変更することができるようにしておけば、突然在庫切れを起こすことなく、余裕を持って発注することが可能となる。
【００６２】
上記構成により、ドロワー１回の開閉動作により、物品１個を確実に搬送することができ、２個目以降の物品盗難を防止することができる。さらに、ドロワー１を完全に引出した場合、仕切板６は１列詰められた状態となり、仮に異物混入をしようと企んでも仕切板６同士に挟まれた異物が邪魔をして、ドロワー１を完全に収納できなくなるため、警報を発することが可能となる。
【００６３】
さらに、物品サイズに合わせて仕切板６を間引いたとしても仕切板６がストッパー機能を果たすため、幅広い物品の収容が可能となる。また、仕切板６を定間隔でなく、ランダムに配置したとしても、仕切板６がストッパー機能を果たすため、機能を損ねることはない。
【００６４】
上記構成により、仕切板６を自由に設定することにより多種多様なサイズの物品に対応することができ、さらに１回の開閉動作により１個の物品しか搬出することができないため、防犯性を高める効果がある。
【００６５】
以上のように本実施の形態の引出し式の物品収納庫は、前面に開口部を有する本体ケース２と、本体ケース２内に収納され開口部を通じて本体ケース２から引き出されるドロワー１と、ドロワー１内を前後方向に区画して物品７を１個ずつ収納する空間を形成する複数の仕切板６と、ドロワー１に設けられ仕切板６を所定の前後方向の位置に保持する仕切板保持部（上ガイド４と下ガイド５）と、本体ケース２の開口部の近傍に設けられドロワー１を引き出した時に仕切板保持部（上ガイド４と下ガイド５）に保持された仕切板６のうちで最も手前の仕切板６と当接することによりドロワー１の引き出し量を制限するストッパー２１とを備えたのである。
【００６６】
上記構成により、ドロワー１の引き出し量は、ドロワー１の仕切板保持部（上ガイド４と下ガイド５）に保持された仕切板６のうちで最も手前の仕切板６が本体ケース２の開口部の近傍に設けられたストッパー２１に当接するまでに制限される。
【００６７】
そのため、簡素な構成で高価な機能部品を必要とせず、最も手前の物品７の取出し性を犠牲にすることなく、２個目以降の物品７を隠すことができ、ドロワー１の開閉動作１回につき最も手前に位置する１個の物品７だけを取出すことができるため、防犯性を高めることができると共に、賞味期限管理のための先入れ先出しを実現することができる。
【００６８】
また、仕切板保持部（上ガイド４と下ガイド５）に前後方向の仕切板６を保持可能な位置を複数設けて、収納する物品７の前後方向の寸法に合わせて仕切板６の位置を調節して、収納する物品７の前後方向の寸法に合わせて物品収納空間の前後方向の寸法を可変させることができる。
【００６９】
また、本実施の形態では、本体ケース２に設けられドロワー１が後方に移動する時に仕切板保持部（上ガイド４と下ガイド５）に保持された状態にある仕切板６を仕切板保持部（上ガイド４と下ガイド５）に保持されない位置に移動させるサブストッパー１９と、サブストッパー１９により仕切板保持部（上ガイド４と下ガイド５）に保持されない位置に移動している仕切板６を前後方向に移動しないように一時的に本体ケース２内に保持するロック手段（上ガイド１６と下ガイド１７）とを備えると共に、ストッパー２１の後方に隣接していた仕切板６が、ドロワー１内の手前の物品７を取り出してドロワー１を本体ケース２内に押し戻した時に、ストッパー２１の前方に移動してドロワー１の前部に設けられた空間１１ａに格納されるように構成したのである。
【００７０】
上記構成により、ドロワー１を本体ケース２内に押し戻す動作で、ドロワー１内の仕切板６を前方にずらしてドロワー１内の物品７を前方に移動させることができ、ドロワー１
を引き出した時にストッパー２１の後方に隣接していた仕切板６は、ドロワー１内の手前の物品７を取り出してドロワー１を本体ケース２内に押し戻した時に、ストッパー２１の前方に移動してドロワー１の前部に設けられた空間１１ａに格納されるので、２個目以降の物品７も最前列の物品７を取り出した時と同様に１回の開閉動作により１個ずつ物品７を取出すことが可能となる。
【００７１】
また、本実施の形態では、ロック手段（上ガイド１６と下ガイド１７）により一時的に本体ケース２内に保持された仕切板６と後方に移動するドロワー１の仕切板保持部（上ガイド４）とが干渉しないように仕切板６に上切欠き８を形成したので、ドロワー１を本体ケース２内に押し戻す時に、仕切板保持部（上ガイド４）が仕切板６の切欠き８部分を通り抜け、互いに干渉することなくスライドして待機状態に戻ることができ、スムースな引出し動作が可能となる。
【００７２】
また、本実施の形態では、サブストッパー１９は、ドロワー１と共に前方に移動する仕切板６と当接した時に、仕切板保持部（上ガイド４と下ガイド５）に保持された状態にある仕切板６を仕切板保持部（上ガイド４と下ガイド５）に保持されない位置に移動させる機能が働かないように変位するので、仕切板保持部（上ガイド４と下ガイド５）に保持された状態にある仕切板６を仕切板保持部（上ガイド４と下ガイド５）に保持されない位置に移動させるというサブストッパー１９の機能を、ドロワー１を本体ケース２内に押し戻す時のみに発揮させ、ドロワー１を本体ケース２内から引き出す時には発揮させないようにでき、ドロワー１を本体ケース２内から引き出す場合の操作力を軽くすることが可能になる。
【００７３】
（実施の形態２）
図７は本発明の実施の形態２における引出し式の物品収納庫の外観斜視図である。本実施の形態では、実施の形態１の引出し式の物品収納庫を複数組合せ、さらに課金装置２９を設けて、課金装置２９により物品の代金を支払った場合に、施錠解除のための通電によりソレノイド２６がスライドバー２７を引上げて連動するフック２５の先端を持ち上げてフックガイド１５に引掛けることにより施錠解除となって、ドロワー１の引き出しが可能になるようにしたものである。
【００７４】
以上のように構成された本実施の形態の引出し式の物品収納庫について、動作を説明する。
【００７５】
まず、購入する商品を選択し、所定の代金を硬貨・紙幣・金券・電子マネー・プリペイドカード・クレジットカードを課金装置２９にて支払うことで、引出し式の物品収納庫の施錠が解除されてドロワー１を引出して、１個の商品を直接取出すことが可能となる。
【００７６】
上記により、１回の商品販売に対して確実に課金することができ、さらに自動搬出が困難であった不定形容器の搬出を確実に行うことができることから故障や金銭の取込みを防止し、エンドユーザーに対して迷惑のかからない機器を提供することが可能となる。
【００７７】
本実施の形態は、実施の形態１の引出し式の物品収納庫を複数組合せ、さらに課金装置２９を設けて、課金装置２９により物品の代金を支払った場合に、施錠解除のための通電によりソレノイド２６がスライドバー２７を引上げて連動するフック２５の先端を持ち上げてフックガイド１５に引掛けることにより施錠解除となって、ドロワー１の引き出しが可能になるようにしたので、実施の形態１の引出し式の物品収納庫を活用して商品を１個ずつ販売することができる。
【産業上の利用可能性】
【００７８】
以上のように、本発明にかかる物品収納庫は、開閉動作１回につき最も手前に位置する１個の物品だけを取出すことができるため、備品搬出ボックス、ショーケース、病院等の薬品保管庫および課金機能を設けた自動販売機等の用途にも適用できる。
【符号の説明】
【００７９】
１  ドロワー
２  本体ケース
４  上ガイド
５  下ガイド
６  仕切板
８  上切欠き
１１ａ  空間
１６  上ガイド
１７  下ガイド
１９  サブストッパー
２１  ストッパー
２９  課金装置
【図１】
2013184025.tif 000003
【図２】
2013184025.tif 000004
【図３】
2013184025.tif 000005
【図４】
2013184025.tif 000006
【図５】
2013184025.tif 000007
【図６】
2013184025.tif 000008
【図７】
2013184025.tif 000009
【図８】
2013184025.tif 000010